【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
カートンであって、
頂部壁と、前記頂部壁の側縁部に接続された一対の対向する側部壁と、該カートンの上方コーナーを画成するために前記側部壁を連結する端部壁と、を含む複数の壁と、
該カートンから物品を分配するための物品ディスペンサーと、
を備え、
前記ディスペンサーは、前記頂部、側部及び端部壁から形成された該カートンの分離可能部分を含み、
前記分離可能部分は、取り出しのために少なくとも末端の物品を露出させるための開口部を画成するため、分離可能接続部によって該カートンから分離されるように前記頂部、側部及び端部壁に接続され、
少なくとも１つの前記側部壁は、前記分離可能接続部に沿って前記分離可能部分を分離するため、ユーザーの横断引き裂き動作を容易にするための引き裂き開始機構を備えていることを特徴とするカートン。
【請求項２】
請求項１に記載のカートンにおいて、
前記分離可能部分の分離可能接続部は、前記開口部の縁部を画成するための接合部の切り取り線を備え、
前記切り取り線は、前記少なくとも１つの側部壁の前記引き裂き開始機構から前記頂部及び端部壁に延びていることを特徴とするカートン。
【請求項３】
請求項２に記載のカートンにおいて、
前記引き裂き開始機構は、前記少なくとも１つの側部壁から形成されて、指孔を画成するために内方側に変位可能な、折り曲げ可能に接続されたフラップを備えていることを特徴とするカートン。
【請求項４】
カートンであって、
頂部壁と、前記頂部壁の側縁部に接続された一対の対向する側部壁と、該カートンの前方端部を設けるために前記側部壁を連結する端部壁と、を含む複数の壁と、
該カートンから物品を分配するために、該カートンの前記前方端部に設けられる物品ディスペンサーと、
を備え、
前記ディスペンサーは、取り出しのために少なくとも末端の物品を露出させるための開口部を含み、
前記開口部は、前記頂部、側部及び端部壁から形成された該カートンの一部を取り除くことによって設けられ、
該カートンは、該カートンの前記一部から形成されたヒールをさらに備え、
前記ヒールは、該カートンが前記前方端部の方へ傾斜する傾斜位置において該カートンを支持するため、該カートンの一部に係合されることを特徴とするカートン。
【請求項５】
請求項４に記載のカートンにおいて、
前記ヒールは、該カートンの後方端部に接続されることを特徴とするカートン。
【請求項６】
請求項５に記載のカートンにおいて、
前記ヒールは、前記頂部壁から形成された突出部分を備え、
前記突出部分は、前記ヒールを適所に保持するため、該カートンの前記後方端部に接続されることを特徴とするカートン。
【請求項７】
請求項６に記載のカートンにおいて、
前記後方端部は、前記側部壁の１つに折り曲げ可能に接続された端部壁パネルを備え、
前記突出部分は、前記端部壁パネルの内面に面接触する関係で、前記端部壁パネルの下に位置するように配置されることを特徴とするカートン。
【請求項８】
請求項７に記載のカートンにおいて、
前記後方端部は、該カートンの基部壁に折り曲げ可能に接続されるとともに前記端部壁パネルの下に位置するように配置されたサポートフラップをさらに備え、
前記突出部分は、前記端部壁パネルと前記サポートフラップとの間に挿入されることを特徴とするカートン。
【請求項９】
請求項７に記載のカートンにおいて、
前記突出部分は、前記側部壁にそれぞれ係合する一対の対向する側縁部を備えていることを特徴とするカートン。
【請求項１０】
請求項４に記載のカートンにおいて、
前記ヒールは、傾斜したカートンに側方安定性を提供するため、該カートンの前記側部壁に接する１つ以上の側部パネルを備えていることを特徴とするカートン。
【請求項１１】
パッケージであって、
平行に並んだ状態で横に配置された円柱形物品の少なくとも２つの段で形成された物品グループと、
前記グループのまわりに配置されるカートンと、
を備え、
前記カートンは、頂部壁と、前記頂部壁の側縁部に接続された一対の対向する側部壁と、該カートンの上方コーナーを画成するために前記側部壁を連結する端部壁と、該カートンから前記物品を分配するための物品ディスペンサーと、を備え、
前記ディスペンサーは、前記頂部、側部及び端部壁から形成された前記カートンの分離可能部分を含み、
前記分離可能部分は、取り出しのために末端の物品を露出させるための開口部を画成するため、切り取り線に沿って前記カートンから分離されるように前記頂部、側部及び端部壁に分離可能に接続され、
前記頂部壁における前記切り取り線の一部は、前記切り取り線の一部の望ましくない破断を緩和するため、最上段における２番目の末端の物品の上に位置するように配置されていることを特徴とするパッケージ。
【請求項１２】
パッケージであって、
円柱形物品の少なくとも垂直配列され隣接する第１及び第２の段を形成する物品グループと、
前記物品グループのまわりに配置されるカートンと、
を備え、
前記段のそれぞれの前記円柱形物品は、平行に並んだ状態で横に配置され、
前記カートンは、頂部壁と、該頂部壁の側縁部に接続された一対の対向する側部壁と、該側部壁と相互接続する端部壁と、前記カートンから前記物品を分配するための物品を分配するための物品ディスペンサーと、を備え、
前記ディスペンサーは、前記側部壁及び前記端部壁から少なくとも形成された前記カートンの分離可能部分を含み、
前記分離可能部分は、取り出しのために末端の物品を露出させるための開口部を画成するため、分離可能接続部によって前記カートンから分離されるように少なくとも前記側部壁及び前記端部壁に分離可能に接続され、
少なくとも１つの前記側部壁は、前記分離可能接続部に沿って前記分離可能部分を分離するため、ユーザーの横断引き裂き動作を容易にするための引き裂き開始機構を備え、
前記物品グループは、前記側部壁が前記円柱形物品の端部近傍にあるように向いており、前記引き裂き開始機構の位置は、前記端部壁の隣の前記第１の段及び前記第２の段の末端の物品と前記第１の段及び前記第２の段の第２の隣接する物品とを含む４つの端部物品の中央の空間に位置合せされていることを特徴とするパッケージ。
【請求項１３】
請求項１２に記載のパッケージにおいて、
前記分離可能接続部は、前記開口部の縁部を画成するための接合部の切り取り線を備え、
前記切り取り線は、前記少なくとも１つの側部壁の前記引き裂き開始機構から少なくとも前記端部壁に延びていることを特徴とするパッケージ。
【請求項１４】
請求項１２に記載のパッケージにおいて、
前記引き裂き開始機構は、前記少なくとも１つの側部壁から形成されて、指孔を画成するために内方側に変位可能な、折り曲げ可能に接続された第１のフラップを備えていることを特徴とするパッケージ。
【請求項１５】
所定の直径及び平行に並んだ状態で横に配置された対向する両端を有した少なくとも１列の略円筒形物品から形成された物品グループと、
前記物品グループのまわりに配置されているカートンと、
を備え、
前記カートンは、頂部壁、底部壁、前記頂部壁の側縁部及び前記底部壁の側縁部に接続された一対の対向する側部壁、及び前記対向する側部壁に相互接続された端部壁を含む複数の壁と、前記頂部壁、前記対向する側部壁及び前記端部壁の平面の交差部の所定領域に形成された物品ディスペンサーの開口部と、を含み、
前記物品ディスペンサーの開口部の一部は、前記頂部壁、前記対向する側部壁、及び端部壁の平面の交差部の前記領域近傍で前記頂部壁を横切って延びている前記頂部壁の切断線によって画成され、
前記物品ディスペンサーの開口部の一部は、略円筒形物品の直径よりも大きくない前記頂部壁の平面から測定された所定距離で配置されたすべての点を有している前記端部壁を横切って延びている前記端部の切断線によって画成され、
前記物品ディスペンサーの開口部の一部は、前記頂部壁の前記平面から前記端部壁の前記平面に至る前記対向する側部壁のそれぞれを横切って延びている切断線によって画成されていることを特徴とするパッケージ。
【請求項１６】
請求項１５に記載のパッケージにおいて、
前記物品グループは、少なくとも２列の略円筒形物品から形成され、
上部の列は、前記グループの第２の列であることを特徴とするパッケージ。
【請求項１７】
請求項１５に記載のパッケージにおいて、
前記側部壁の切断線は、前記対向する側部壁のそれぞれを横切って延びていることを特徴とするパッケージ。